【手続補正書】
【提出日】平成27年9月17日(2015.9.17)
【手続補正１】
【補正対象書類名】特許請求の範囲
【補正対象項目名】全文
【補正方法】変更
【補正の内容】
【特許請求の範囲】
【請求項１】
表示制御装置であって、
表示手段と、
前記表示制御装置に搭載された複数の機能を設定するための複数の機能ボタンが表示される設定画面を前記表示手段に表示する表示制御手段と、
前記設定画面の表示モードを第１の表示モードと第２の表示モードとの間で切り換える切換操作を受け付ける切換操作手段と、
を備え、
前記第１の表示モードで表示される設定画面である第１の設定画面には、前記複数の機能ボタンのうちの所定個数の機能ボタンがグループ分けされた状態で所定方向に配列されて表示されると共に、表示すべき所定個数の機能ボタンを順次変更するための操作入力を受け付けた場合には、前記所定個数の機能ボタンが順次変更されて表示され、
前記第２の表示モードで表示される設定画面である第２の設定画面には、前記機能ボタンが属するグループを指定するための複数のグループ指定ボタンが表示されると共に、いずれかのグループ指定ボタンを選択する操作入力を受け付けた場合には、指定されたグループに属する機能ボタンが表示され、
前記表示制御手段は、前記切換操作手段が前記第１の表示モードから前記第２の表示モードへの切換操作を受け付けた場合に、前記第１の設定画面に表示されている機能ボタンのうちの所定の機能ボタンが属するグループを特定し、前記第２の設定画面に、特定されたグループに属する機能ボタンを表示する、表示制御装置。
【請求項２】
前記表示制御手段は、前記所定の機能ボタンが属するグループとして、前記所定個数の機能ボタンのうちの先頭部分に表示されている機能ボタンが属するグループを特定する、請求項１に記載の表示制御装置。
【請求項３】
前記表示制御手段は、前記所定の機能ボタンが属するグループとして、前記所定個数の機能ボタンのうちの最も多くの機能ボタンが属するグループを特定する、請求項１に記載の表示制御装置。
【請求項４】
表示制御装置であって、
表示手段と、
前記表示制御装置に搭載された複数の機能を設定するための複数の機能ボタンが表示される設定画面を前記表示手段に表示する表示制御手段と、
前記設定画面の表示モードを第１の表示モードと第２の表示モードとの間で切り換える切換操作を受け付ける切換操作手段と、
を備え、
前記第１の表示モードで表示される設定画面である第１の設定画面には、前記複数の機能ボタンのうちの所定個数の機能ボタンがグループ分けされた状態で所定方向に配列されて表示されると共に、表示すべき所定個数の機能ボタンを順次変更するための操作入力を受け付けた場合には、前記所定個数の機能ボタンが順次変更されて表示され、
前記第２の表示モードで表示される設定画面である第２の設定画面には、前記機能ボタンが属するグループを指定するための複数のグループ指定ボタンが表示されると共に、いずれかのグループ指定ボタンを選択する操作入力を受け付けた場合には、指定されたグループに属する機能ボタンが表示され、
前記表示制御手段は、前記切換操作手段が前記第２の表示モードから前記第１の表示モードへの切換操作を受け付けた場合に、前記第２の設定画面に表示されている機能ボタンが属するグループを特定し、前記第１の設定画面に、特定されたグループに属する機能ボタンが含まれるよう前記所定個数の機能ボタンを表示する、表示制御装置。
【請求項５】
前記表示制御手段は、特定されたグループに属する機能ボタンを、前記所定個数の機能ボタンのうちの中央に表示する、請求項４に記載の表示制御装置。
【請求項６】
前記表示制御手段は、特定されたグループに属する機能ボタンを、前記所定個数の機能ボタンのうちの先頭部分に表示する、請求項４に記載の表示制御装置。
【請求項７】
前記第２の設定画面において、前記複数のグループ指定ボタンは、前記第１の設定画面においてグループ分けされた状態で表示される機能ボタンのグループの順序と同じ順序で表示される、請求項１〜６のいずれかに記載の表示制御装置。
【請求項８】
前記第１の設定画面と前記第２の設定画面とのいずれを前記設定画面の初期状態において前記表示手段に表示させるかを指定する指定手段をさらに備え、
前記表示制御手段は、前記指定手段によって指定された設定画面を前記初期状態において前記表示手段に表示する、請求項１〜７のいずれかに記載の表示制御装置。
【請求項９】
前記指定手段は、特定のユーザと対応付けて、前記第１の設定画面と前記第２の設定画面とのいずれを前記表示手段に表示させるかに関する指定を受け付け、
前記表示制御手段は、前記特定のユーザの使用時において、前記特定のユーザと対応付けて指定された設定画面を前記初期状態において前記表示手段に表示する、請求項８に記載の表示制御装置。
【請求項１０】
前記指定手段は、各ユーザと対応付けて、前記第１の設定画面と前記第２の設定画面とのいずれを前記表示手段に表示させるかに関する指定を受け付け、
前記表示制御手段は、前記各ユーザの使用時において、前記第１の設定画面と前記第２の設定画面とのうち前記各ユーザと対応付けて指定された設定画面を前記初期状態において前記表示手段に表示する、請求項８に記載の表示制御装置。
【請求項１１】
前記第１の表示モードから前記第２の表示モードへの切換操作回数と、前記第２の表示モードから前記第１の表示モードへの切換操作回数とをカウントするカウント手段をさらに備え、
前記表示制御手段は、前記切換操作回数に基づいて、初期状態において前記表示手段に表示する設定画面を前記第１の設定画面または前記第２の設定画面のいずれかに決定する、請求項１〜１０のいずれかに記載の表示制御装置。
【請求項１２】
コンピュータに、
ａ）表示制御装置に搭載された複数の機能を設定するための複数の機能ボタンが表示される設定画面を表示手段に表示するステップと、
ｂ）前記設定画面の表示モードを第１の表示モードと第２の表示モードとの間で切り換える切換操作を受け付けるステップと、
ｃ）前記切換操作に基づいて、前記第１の表示モードへの切換動作あるいは前記第２の表示モードへの切換動作を行うステップと、
を実行させるためのプログラムであって、
前記第１の表示モードで表示される設定画面である第１の設定画面には、前記複数の機能ボタンのうちの所定個数の機能ボタンがグループ分けされた状態で所定方向に配列されて表示されると共に、表示すべき所定個数の機能ボタンを順次変更するための操作入力を受け付けた場合には、前記所定個数の機能ボタンが順次変更されて表示され、
前記第２の表示モードで表示される設定画面である第２の設定画面には、前記機能ボタンが属するグループを指定するための複数のグループ指定ボタンが表示されると共に、いずれかのグループ指定ボタンを選択する操作入力を受け付けた場合には、指定されたグループに属する機能ボタンが表示され、
前記ステップｃ）においては、前記第１の表示モードから前記第２の表示モードへの切換操作を受け付けた場合に、前記第１の設定画面に表示されている機能ボタンのうちの所定の機能ボタンが属するグループが特定され、前記第２の設定画面に、特定されたグループに属する機能ボタンが表示される、プログラム。
【請求項１３】
前記ステップｃ）においては、前記所定の機能ボタンが属するグループとして、前記所定個数の機能ボタンのうちの先頭部分に表示されている機能ボタンが属するグループが特定される、請求項１２に記載のプログラム。
【請求項１４】
前記ステップｃ）においては、前記所定の機能ボタンが属するグループとして、前記所定個数の機能ボタンのうちの最も多くの機能ボタンが属するグループが特定される、請求項１２に記載のプログラム。
【請求項１５】
コンピュータに、
ａ）表示制御装置に搭載された複数の機能を設定するための複数の機能ボタンが表示される設定画面を表示手段に表示するステップと、
ｂ）前記設定画面の表示モードを第１の表示モードと第２の表示モードとの間で切り換える切換操作を受け付けるステップと、
ｃ）前記切換操作に基づいて、前記第１の表示モードへの切換動作あるいは前記第２の表示モードへの切換動作を行うステップと、
を実行させるためのプログラムであって、
前記第１の表示モードで表示される設定画面である第１の設定画面には、前記複数の機能ボタンのうちの所定個数の機能ボタンがグループ分けされた状態で所定方向に配列されて表示されると共に、表示すべき所定個数の機能ボタンを順次変更するための操作入力を受け付けた場合には、前記所定個数の機能ボタンが順次変更されて表示され、
前記第２の表示モードで表示される設定画面である第２の設定画面には、前記機能ボタンが属するグループを指定するための複数のグループ指定ボタンが表示されると共に、いずれかのグループ指定ボタンを選択する操作入力を受け付けた場合には、指定されたグループに属する機能ボタンが表示され、
前記ステップｃ）においては、前記第２の表示モードから前記第１の表示モードへの切換操作を受け付けた場合に、前記第２の設定画面に表示されている機能ボタンが属するグループが特定され、前記第１の設定画面に、特定されたグループに属する機能ボタンが含まれるよう前記所定個数の機能ボタンが表示される、プログラム。
【請求項１６】
前記ステップｃ）においては、特定されたグループに属する機能ボタンが、前記所定個数の機能ボタンのうちの中央に表示される、請求項１５に記載のプログラム。
【請求項１７】
前記ステップｃ）においては、特定されたグループに属する機能ボタンが、前記所定個数の機能ボタンのうちの先頭部分に表示される、請求項１５に記載のプログラム。
【請求項１８】
前記第２の設定画面において、前記複数のグループ指定ボタンは、前記第１の設定画面においてグループ分けされた状態で表示される機能ボタンのグループの順序と同じ順序で表示される、請求項１２〜１７のいずれかに記載のプログラム。
【請求項１９】
前記プログラムは、
ｄ）前記第１の設定画面と前記第２の設定画面とのいずれを前記設定画面の初期状態において前記表示手段に表示させるかを指定するステップ、
を前記コンピュータにさらに実行させ、
前記ステップａ）においては、前記ステップｄ）にて指定された設定画面が前記初期状態において前記表示手段に表示される、請求項１２〜１８のいずれかに記載のプログラム。
【請求項２０】
前記ステップｄ）においては、特定のユーザと対応付けて、前記第１の設定画面と前記第２の設定画面とのいずれを前記表示手段に表示させるかに関する指定が受け付けられ、
前記ステップａ）においては、前記特定のユーザの使用時において、前記ステップｄ）にて前記特定のユーザと対応付けて指定された設定画面が前記初期状態において前記表示手段に表示される、請求項１９に記載のプログラム。
【請求項２１】
前記ステップｄ）においては、各ユーザと対応付けて、前記第１の設定画面と前記第２の設定画面とのいずれを前記表示手段に表示させるかに関する指定が受け付けられ、
前記ステップａ）においては、前記各ユーザの使用時において、前記第１の設定画面と前記第２の設定画面とのうち前記ステップｄ）にて前記各ユーザと対応付けて指定された設定画面が前記初期状態において前記表示手段に表示される、請求項１９に記載のプログラム。
【請求項２２】
前記プログラムは、
ｅ）前記第１の表示モードから前記第２の表示モードへの切換操作回数と、前記第２の表示モードから前記第１の表示モードへの切換操作回数とをカウントするステップ、
を前記コンピュータにさらに実行させ、
初期状態において前記表示手段に表示される設定画面は、前記切換操作回数に基づいて、前記第１の設定画面または前記第２の設定画面のいずれかに決定される、請求項１２〜２１のいずれかに記載のプログラム。
【手続補正２】
【補正対象書類名】明細書
【補正対象項目名】発明の名称
【補正方法】変更
【補正の内容】
【発明の名称】表示制御装置およびプログラム
【手続補正３】
【補正対象書類名】明細書
【補正対象項目名】０００１
【補正方法】変更
【補正の内容】
【０００１】
本発明は、画像形成装置などの表示制御装置およびそれに関連する技術に関する。
【手続補正４】
【補正対象書類名】明細書
【補正対象項目名】００１１
【補正方法】変更
【補正の内容】
【００１１】
そこで、この発明は、表示制御装置の設定画面に関してユーザの操作性を向上させることが可能な技術を提供することを課題とする。
【手続補正５】
【補正対象書類名】明細書
【補正対象項目名】００１２
【補正方法】変更
【補正の内容】
【００１２】
上記課題を解決すべく、請求項１の発明は、表示制御装置であって、表示手段と、前記表示制御装置に搭載された複数の機能を設定するための複数の機能ボタンが表示される設定画面を前記表示手段に表示する表示制御手段と、前記設定画面の表示モードを第１の表示モードと第２の表示モードとの間で切り換える切換操作を受け付ける切換操作手段と、を備え、前記第１の表示モードで表示される設定画面である第１の設定画面には、前記複数の機能ボタンのうちの所定個数の機能ボタンがグループ分けされた状態で所定方向に配列されて表示されると共に、表示すべき所定個数の機能ボタンを順次変更するための操作入力を受け付けた場合には、前記所定個数の機能ボタンが順次変更されて表示され、前記第２の表示モードで表示される設定画面である第２の設定画面には、前記機能ボタンが属するグループを指定するための複数のグループ指定ボタンが表示されると共に、いずれかのグループ指定ボタンを選択する操作入力を受け付けた場合には、指定されたグループに属する機能ボタンが表示され、前記表示制御手段は、前記切換操作手段が前記第１の表示モードから前記第２の表示モードへの切換操作を受け付けた場合に、前記第１の設定画面に表示されている機能ボタンのうちの所定の機能ボタンが属するグループを特定し、前記第２の設定画面に、特定されたグループに属する機能ボタンを表示する。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
請求項２の発明は、請求項１の発明に係る表示制御装置において、前記表示制御手段は、前記所定の機能ボタンが属するグループとして、前記所定個数の機能ボタンのうちの先頭部分に表示されている機能ボタンが属するグループを特定する。
【手続補正１１】
【補正対象書類名】明細書
【補正対象項目名】００１８
【補正方法】変更
【補正の内容】
【００１８】
請求項３の発明は、請求項１の発明に係る表示制御装置において、前記表示制御手段は、前記所定の機能ボタンが属するグループとして、前記所定個数の機能ボタンのうちの最も多くの機能ボタンが属するグループを特定する。
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】変更
【補正の内容】
【００２０】
請求項４の発明は、表示制御装置であって、表示手段と、前記表示制御装置に搭載された複数の機能を設定するための複数の機能ボタンが表示される設定画面を前記表示手段に表示する表示制御手段と、前記設定画面の表示モードを第１の表示モードと第２の表示モードとの間で切り換える切換操作を受け付ける切換操作手段と、を備え、前記第１の表示モードで表示される設定画面である第１の設定画面には、前記複数の機能ボタンのうちの所定個数の機能ボタンがグループ分けされた状態で所定方向に配列されて表示されると共に、表示すべき所定個数の機能ボタンを順次変更するための操作入力を受け付けた場合には、前記所定個数の機能ボタンが順次変更されて表示され、前記第２の表示モードで表示される設定画面である第２の設定画面には、前記機能ボタンが属するグループを指定するための複数のグループ指定ボタンが表示されると共に、いずれかのグループ指定ボタンを選択する操作入力を受け付けた場合には、指定されたグループに属する機能ボタンが表示され、前記表示制御手段は、前記切換操作手段が前記第２の表示モードから前記第１の表示モードへの切換操作を受け付けた場合に、前記第２の設定画面に表示されている機能ボタンが属するグループを特定し、前記第１の設定画面に、特定されたグループに属する機能ボタンが含まれるよう前記所定個数の機能ボタンを表示する。
【手続補正１４】
【補正対象書類名】明細書
【補正対象項目名】００２１
【補正方法】変更
【補正の内容】
【００２１】
請求項５の発明は、請求項４の発明に係る表示制御装置において、前記表示制御手段は、特定されたグループに属する機能ボタンを、前記所定個数の機能ボタンのうちの中央に表示する。
【手続補正１５】
【補正対象書類名】明細書
【補正対象項目名】００２２
【補正方法】変更
【補正の内容】
【００２２】
請求項６の発明は、請求項４の発明に係る表示制御装置において、前記表示制御手段は、特定されたグループに属する機能ボタンを、前記所定個数の機能ボタンのうちの先頭部分に表示する。
請求項７の発明は、請求項１〜６のいずれかの発明に係る表示制御装置において、前記第２の設定画面において、前記複数のグループ指定ボタンは、前記第１の設定画面においてグループ分けされた状態で表示される機能ボタンのグループの順序と同じ順序で表示される。
【手続補正１６】
【補正対象書類名】明細書
【補正対象項目名】００２３
【補正方法】変更
【補正の内容】
【００２３】
請求項８の発明は、請求項１〜７のいずれかの発明に係る表示制御装置において、前記第１の設定画面と前記第２の設定画面とのいずれを前記設定画面の初期状態において前記表示手段に表示させるかを指定する指定手段をさらに備え、前記表示制御手段は、前記指定手段によって指定された設定画面を前記初期状態において前記表示手段に表示する。
【手続補正１７】
【補正対象書類名】明細書
【補正対象項目名】００２４
【補正方法】変更
【補正の内容】
【００２４】
請求項９の発明は、請求項８の発明に係る表示制御装置において、前記指定手段は、特定のユーザと対応付けて、前記第１の設定画面と前記第２の設定画面とのいずれを前記表示手段に表示させるかに関する指定を受け付け、前記表示制御手段は、前記特定のユーザの使用時において、前記特定のユーザと対応付けて指定された設定画面を前記初期状態において前記表示手段に表示する。
【手続補正１８】
【補正対象書類名】明細書
【補正対象項目名】００２５
【補正方法】変更
【補正の内容】
【００２５】
請求項１０の発明は、請求項８の発明に係る表示制御装置において、前記指定手段は、各ユーザと対応付けて、前記第１の設定画面と前記第２の設定画面とのいずれを前記表示手段に表示させるかに関する指定を受け付け、前記表示制御手段は、前記各ユーザの使用時において、前記第１の設定画面と前記第２の設定画面とのうち前記各ユーザと対応付けて指定された設定画面を前記初期状態において前記表示手段に表示する。
【手続補正１９】
【補正対象書類名】明細書
【補正対象項目名】００２６
【補正方法】変更
【補正の内容】
【００２６】
請求項１１の発明は、請求項１〜１０のいずれかの発明に係る表示制御装置において、前記第１の表示モードから前記第２の表示モードへの切換操作回数と、前記第２の表示モードから前記第１の表示モードへの切換操作回数とをカウントするカウント手段をさらに備え、前記表示制御手段は、前記切換操作回数に基づいて、初期状態において前記表示手段に表示する設定画面を前記第１の設定画面または前記第２の設定画面のいずれかに決定する。
【手続補正２０】
【補正対象書類名】明細書
【補正対象項目名】００２７
【補正方法】変更
【補正の内容】
【００２７】
請求項１２の発明は、コンピュータに、ａ）表示制御装置に搭載された複数の機能を設定するための複数の機能ボタンが表示される設定画面を表示手段に表示するステップと、ｂ）前記設定画面の表示モードを第１の表示モードと第２の表示モードとの間で切り換える切換操作を受け付けるステップと、ｃ）前記切換操作に基づいて、前記第１の表示モードへの切換動作あるいは前記第２の表示モードへの切換動作を行うステップと、を実行させるためのプログラムであって、前記第１の表示モードで表示される設定画面である第１の設定画面には、前記複数の機能ボタンのうちの所定個数の機能ボタンがグループ分けされた状態で所定方向に配列されて表示されると共に、表示すべき所定個数の機能ボタンを順次変更するための操作入力を受け付けた場合には、前記所定個数の機能ボタンが順次変更されて表示され、前記第２の表示モードで表示される設定画面である第２の設定画面には、前記機能ボタンが属するグループを指定するための複数のグループ指定ボタンが表示されると共に、いずれかのグループ指定ボタンを選択する操作入力を受け付けた場合には、指定されたグループに属する機能ボタンが表示され、前記ステップｃ）においては、前記第１の表示モードから前記第２の表示モードへの切換操作を受け付けた場合に、前記第１の設定画面に表示されている機能ボタンのうちの所定の機能ボタンが属するグループが特定され、前記第２の設定画面に、特定されたグループに属する機能ボタンが表示される。
請求項１３の発明は、請求項１２の発明に係るプログラムにおいて、前記ステップｃ）においては、前記所定の機能ボタンが属するグループとして、前記所定個数の機能ボタンのうちの先頭部分に表示されている機能ボタンが属するグループが特定される。
請求項１４の発明は、請求項１２の発明に係るプログラムにおいて、前記ステップｃ）においては、前記所定の機能ボタンが属するグループとして、前記所定個数の機能ボタンのうちの最も多くの機能ボタンが属するグループが特定される。
請求項１５の発明は、コンピュータに、ａ）表示制御装置に搭載された複数の機能を設定するための複数の機能ボタンが表示される設定画面を表示手段に表示するステップと、ｂ）前記設定画面の表示モードを第１の表示モードと第２の表示モードとの間で切り換える切換操作を受け付けるステップと、ｃ）前記切換操作に基づいて、前記第１の表示モードへの切換動作あるいは前記第２の表示モードへの切換動作を行うステップと、を実行させるためのプログラムであって、前記第１の表示モードで表示される設定画面である第１の設定画面には、前記複数の機能ボタンのうちの所定個数の機能ボタンがグループ分けされた状態で所定方向に配列されて表示されると共に、表示すべき所定個数の機能ボタンを順次変更するための操作入力を受け付けた場合には、前記所定個数の機能ボタンが順次変更されて表示され、前記第２の表示モードで表示される設定画面である第２の設定画面には、前記機能ボタンが属するグループを指定するための複数のグループ指定ボタンが表示されると共に、いずれかのグループ指定ボタンを選択する操作入力を受け付けた場合には、指定されたグループに属する機能ボタンが表示され、前記ステップｃ）においては、前記第２の表示モードから前記第１の表示モードへの切換操作を受け付けた場合に、前記第２の設定画面に表示されている機能ボタンが属するグループが特定され、前記第１の設定画面に、特定されたグループに属する機能ボタンが含まれるよう前記所定個数の機能ボタンが表示される。
請求項１６の発明は、請求項１５の発明に係るプログラムにおいて、前記ステップｃ）においては、特定されたグループに属する機能ボタンが、前記所定個数の機能ボタンのうちの中央に表示される。
請求項１７の発明は、請求項１５の発明に係るプログラムにおいて、前記ステップｃ）においては、特定されたグループに属する機能ボタンが、前記所定個数の機能ボタンのうちの先頭部分に表示される。
請求項１８の発明は、請求項１２〜１７のいずれかの発明に係るプログラムにおいて、前記第２の設定画面において、前記複数のグループ指定ボタンは、前記第１の設定画面においてグループ分けされた状態で表示される機能ボタンのグループの順序と同じ順序で表示される。
請求項１９の発明は、請求項１２〜１８のいずれかの発明に係るプログラムにおいて、前記プログラムは、ｄ）前記第１の設定画面と前記第２の設定画面とのいずれを前記設定画面の初期状態において前記表示手段に表示させるかを指定するステップ、を前記コンピュータにさらに実行させ、前記ステップａ）においては、前記ステップｄ）にて指定された設定画面が前記初期状態において前記表示手段に表示される。
請求項２０の発明は、請求項１９の発明に係るプログラムにおいて、前記ステップｄ）においては、特定のユーザと対応付けて、前記第１の設定画面と前記第２の設定画面とのいずれを前記表示手段に表示させるかに関する指定が受け付けられ、前記ステップａ）においては、前記特定のユーザの使用時において、前記ステップｄ）にて前記特定のユーザと対応付けて指定された設定画面が前記初期状態において前記表示手段に表示される。
請求項２１の発明は、請求項１９の発明に係るプログラムにおいて、前記ステップｄ）においては、各ユーザと対応付けて、前記第１の設定画面と前記第２の設定画面とのいずれを前記表示手段に表示させるかに関する指定が受け付けられ、前記ステップａ）においては、前記各ユーザの使用時において、前記第１の設定画面と前記第２の設定画面とのうち前記ステップｄ）にて前記各ユーザと対応付けて指定された設定画面が前記初期状態において前記表示手段に表示される。
請求項２２の発明は、請求項１２〜２１のいずれかの発明に係るプログラムにおいて、前記プログラムは、ｅ）前記第１の表示モードから前記第２の表示モードへの切換操作回数と、前記第２の表示モードから前記第１の表示モードへの切換操作回数とをカウントするステップ、を前記コンピュータにさらに実行させ、初期状態において前記表示手段に表示される設定画面は、前記切換操作回数に基づいて、前記第１の設定画面または前記第２の設定画面のいずれかに決定される。
【手続補正２１】
【補正対象書類名】明細書
【補正対象項目名】００２８
【補正方法】変更
【補正の内容】
【００２８】
請求項１〜２２に記載の発明によれば、表示制御装置の設定画面に関してユーザの操作性を向上させることが可能である。